(57)【要約】【課題】複数の制御装置が制御範囲毎に機器を制御する際に、機器が属する制御範囲を容易に変更できる機器制御システムを提供する。【解決手段】制御装置２は、自己のエリアに存在する全機器４を制御対象とする第１の制御範囲情報、自己のエリアに存在する全機器４、および他の制御装置のエリアに存在する全機器のうち一部の機器４を制御対象とする第２の制御範囲情報、自己のエリアに存在する全機器から一部の機器を除いた機器４を制御対象とする第３の制御範囲情報を制御範囲情報記憶部２ｃに格納し、制御部２ｅは、制御範囲選択部２ｄが選択した制御範囲情報における制御対象の機器のうち自己の配下の機器４を制御するとともに、当該制御対象の機器のうち他の制御装置２の配下の機器４に対しては他の制御装置２へ制御要求を送信し、制御要求を受信した場合には配下の機器４を制御する。【選択図】図１
2010010786.tif 000002
【特許請求の範囲】
【請求項１】
複数の制御装置がネットワークを介して接続され、各制御装置は、制御装置毎に異なるエリアに存在する１乃至複数の配下の機器の動作を制御する機器制御システムにおいて、
各制御装置は、
自己のエリアに存在する全機器を制御対象とする第１の制御範囲情報、自己のエリアに存在する全機器、および他の制御装置のエリアに存在する全機器のうち一部の機器を制御対象とする第２の制御範囲情報、自己のエリアに存在する全機器から一部の機器を除いた機器を制御対象とする第３の制御範囲情報を格納した制御範囲情報記憶部と、
第１，第２，第３の制御範囲情報のうちいずれかを選択する選択部と、
選択部が選択した制御範囲情報における制御対象の機器のうち自己の配下の機器を制御するとともに、他の制御装置の配下の機器に対しては他の制御装置へ制御要求を送信し、制御要求を受信した場合には配下の機器を制御する制御部とを備え、
一の制御装置が保持する第２の制御範囲情報で制御対象となる前記一部の機器は、二の制御装置が保持する第３の制御範囲情報で制御対象となる機器から除かれた前記一部の機器であり、一の制御装置が第２の制御範囲情報を選択するときは、二の制御装置が第３の制御範囲情報を選択する
ことを特徴する機器制御システム。
【請求項２】
前記一部の機器は、一の制御装置のエリアと二の制御装置のエリアとの境界近傍に配置されることを特徴する請求項１記載の機器制御システム。
【発明の詳細な説明】
【技術分野】
【０００１】
本発明は、機器制御システムに関するものである。
【背景技術】
【０００２】
従来、複数の制御装置がネットワークを介して接続され、各制御装置が所定のエリアに存在する１乃至複数の機器の動作を制御する機器制御システムがある（例えば、特許文献１参照）。
【特許文献１】特開２００６−３３２９７４号公報
【発明の開示】
【発明が解決しようとする課題】
【０００３】
制御装置は、所定の制御範囲に存在する機器を制御するのであるが、設計時にある制御装置の制御範囲に設定した機器が、施工時に他の制御装置の制御範囲に変更されることがある。特に、２つのエリアの境界近傍に設置される機器は、施工時において、設計時の制御範囲に隣接する制御範囲に組み込まれることが頻繁にある。
【０００４】
本発明は、上記事由に鑑みてなされたものであり、その目的は、複数の制御装置が制御範囲毎に機器を制御する際に、機器が属する制御範囲を容易に変更できる機器制御システムを提供することにある。
【課題を解決するための手段】
【０００５】
請求項１の発明は、複数の制御装置がネットワークを介して接続され、各制御装置は、制御装置毎に異なるエリアに存在する１乃至複数の配下の機器の動作を制御する機器制御システムにおいて、各制御装置は、自己のエリアに存在する全機器を制御対象とする第１の制御範囲情報、自己のエリアに存在する全機器、および他の制御装置のエリアに存在する全機器のうち一部の機器を制御対象とする第２の制御範囲情報、自己のエリアに存在する全機器から一部の機器を除いた機器を制御対象とする第３の制御範囲情報を格納した制御範囲情報記憶部と、第１，第２，第３の制御範囲情報のうちいずれかを選択する選択部と、選択部が選択した制御範囲情報における制御対象の機器のうち自己の配下の機器を制御するとともに、当該制御対象の機器のうち他の制御装置の配下の機器に対しては他の制御装置へ制御要求を送信し、制御要求を受信した場合には配下の機器を制御する制御部とを備え、一の制御装置が保持する第２の制御範囲情報で制御対象となる前記一部の機器は、二の制御装置が保持する第３の制御範囲情報で制御対象となる機器から除かれた前記一部の機器であり、一の制御装置が第２の制御範囲情報を選択するときは、二の制御装置が第３の制御範囲情報を選択することを特徴する。
【０００６】
この発明によれば、制御装置は、機器が属する制御範囲を変更した場合の制御範囲情報を予め保持しているので、機器が属する制御範囲を変更したとしても、制御範囲毎の制御を行うことができる。すなわち、複数の制御装置が制御範囲毎に機器を制御する際に、機器が属する制御範囲を容易に変更できる。
【０００７】
請求項２の発明は、請求項１において、前記一部の機器は、一の制御装置のエリアと二の制御装置のエリアとの境界近傍に配置されることを特徴する。
【０００８】
この発明によれば、エリアの境界近傍に配置された機器は、設計時に設定された制御範囲が、施工時には他の制御範囲に変更されやすいが、このような状況下であっても機器が属する制御範囲を容易に変更でき、本発明の効果がより有効となる。
【発明の効果】
【０００９】
以上説明したように、本発明では、複数の制御装置が制御範囲毎に機器を制御する際に、機器が属する制御範囲を容易に変更できるという効果がある。
【発明を実施するための最良の形態】
【００１０】
以下、本発明の実施の形態を図面に基づいて説明する。
【００１１】
（実施形態）
図２は、本実施形態の機器制御システムの構成を示しており、１台のサーバ１と、複数台の制御装置２とが上位ネットワークＮＴ１に接続し、各制御装置２は中位ネットワークＮＴ２を介して１乃至複数台の機器コントローラ３が接続し、各機器コントローラ３は下位ネットワークＮＴ３を介して１乃至複数の機器４が接続している。
【００１２】
制御装置２は、サーバ１から送信される制御指示、または図示しない端末装置から送信される制御指示によって、動作するものである。本実施形態では、制御装置２として２台の制御装置２１，２２を設け、制御装置２１の配下に１台の機器コントローラ３１を設け、制御装置２２の配下に１台の機器コントローラ３２を設け、さらに機器コントローラ３１の配下に２台の機器４１ａ，４１ｂを設け、機器コントローラ３２の配下に２台の機器４２ａ，４２ｂを設けている。そして、機器４１ａ，４１ｂはエリアＡ１内に設置されており、機器４２ａ，４２ｂはエリアＡ１に隣接するエリアＡ２内に設置されている。すなわち、制御装置２１は、エリアＡ１に存在する機器４１ａ，４１ｂを配下とし、制御装置２２は、エリアＡ２に存在する機器４２ａ，４２ｂを配下として、機器コントローラ３１，３２を介して各機器を制御している。そして、各制御装置２は、配下の機器コントローラ３に制御信号を送信することで、機器コントローラ３が、エリア内の各機器４を個別に制御する。
【００１３】
このような機器制御システムにおいて、機器４が属する制御範囲を変更する際の処理を、以下説明する。
【００１４】
図１は制御装置２のブロック構成を示しており、制御装置２は、上位ネットワークＮＴ１との間で情報授受を行うインターフェース機能を有する上位通信部２ａと、中位ネットワークＮＴ２との間で情報授受を行うインターフェース機能を有する中位通信部２ｂと、後述の制御範囲情報Ｊ１〜Ｊ３を格納する制御範囲情報記憶部２ｃと、制御範囲情報記憶部２ｃの制御範囲情報Ｊ１〜Ｊ３からいずれか１つを選択する制御範囲選択部２ｄと、制御範囲選択部２ｄが選択した制御範囲情報に基づいて制御対象の機器４を制御する制御部２ｅとを備える。
【００１５】
制御範囲情報記憶部２ｃは、図３に示すように、各制御装置２による制御対象の機器４を設定するために３種類の制御範囲情報Ｊ１〜Ｊ３が格納されている。
【００１６】
まず、制御装置２１が具備する制御範囲情報Ｊ１（以降、制御範囲情報Ｊ１１と称す）は、図４（ａ）に示すように、エリアＡ１に配置された機器４１ａ，４１ｂを制御対象とし、制御装置２１が具備する制御範囲情報Ｊ２（以降、制御範囲情報Ｊ１２と称す）は、図４（ｂ）に示すように、エリアＡ１に配置された機器４１ａ，４１ｂ、およびエリアＡ２に配置された機器４２ａを制御対象とし、制御装置２１が具備する制御範囲情報Ｊ３（以降、制御範囲情報Ｊ１３と称す）は、図４（ｃ）に示すように、エリアＡ１に配置された機器４１ａを制御対象とする。
【００１７】
次に、制御装置２２が具備する制御範囲情報Ｊ１（以降、制御範囲情報Ｊ２１と称す）は、図５（ａ）に示すように、エリアＡ２に配置された機器４２ａ，４２ｂを制御対象とし、制御装置２２が具備する制御範囲情報Ｊ２（以降、制御範囲情報Ｊ２２と称す）は、図５（ｂ）に示すように、エリアＡ２に配置された機器４２ａ，４２ｂ、およびエリアＡ１に配置された機器４１ｂを制御対象とし、制御装置２２が具備する制御範囲情報Ｊ３（以降、制御範囲情報Ｊ２３と称す）は、図５（ｃ）に示すように、エリアＡ２に配置された機器４２ｂを制御対象とする。
【００１８】
そして、上位ネットワークＮＴ１に接続された図示しない端末装置から制御範囲設定信号が各制御装置２へ送信され、制御装置２の制御範囲選択部２ｄは、受け取った制御範囲設定信号に基づいて、制御範囲情報記憶部２ｃ内の３種類の制御範囲情報Ｊ１〜Ｊ３のうちいずれかを選択し、選択された制御範囲情報に登録されている機器４を制御対象に設定する。
【００１９】
当初、制御装置２１では制御範囲情報Ｊ１１が選択されており、制御装置２１の制御範囲は、機器４１ａ，４１ｂを含むエリアＡ１となる。そして、制御部２ｅが、制御範囲情報Ｊ１１を参照して、中位通信部２ｂから機器４１ａ，４１ｂのパターン制御信号を送信すると、機器コントローラ３１は、エリアＡ１内の機器４１ａ，４１ｂをパターン制御する。ここで、パターン制御とは一斉点灯、一斉消灯、一斉点滅等であり、制御装置２が制御範囲内の機器４を一括して制御するものである。
【００２０】
また、当初、制御装置２２では制御範囲情報Ｊ２１が選択されており、制御装置２２の制御範囲は、機器４２ａ，４２ｂを含むエリアＡ２となる。そして、制御部２ｅが、制御範囲情報Ｊ２１を参照して、中位通信部２ｂから機器４２ａ，４２ｂのパターン制御信号を送信すると、機器コントローラ３２は、エリアＡ２内の機器４２ａ，４２ｂをパターン制御する。
【００２１】
次に、機器４２ａを制御装置２２の制御範囲から制御装置２１の制御範囲に変更する場合について説明する。まず、上位ネットワークＮＴ１に接続された図示しない端末装置から制御範囲設定信号が各制御装置２へ送信され、制御装置２１の制御範囲選択部２ｄが、受け取ったエリア設定信号に基づいて、制御範囲情報Ｊ１２を選択し、制御装置２２の制御範囲選択部２ｄが、受け取った制御範囲設定信号に基づいて、制御範囲情報Ｊ２３を選択すると、図６（ａ）に示すように、制御装置２１の制御範囲は、機器４１ａ，４１ｂ、および機器４２ａを含むエリアＡ１’となり、制御装置２２の制御範囲は、機器４２ｂのみを含むエリアＡ２’となる。
【００２２】
そして、制御装置２１がパターン制御を行う際には、制御部２ｅが、制御範囲情報Ｊ１２を参照して、中位通信部２ｂから機器４１ａ，４１ｂのパターン制御信号を送信するとともに、上位通信部２ａから機器４２ａの制御要求を送信する。そして、機器コントローラ３１は、機器４１ａ，４１ｂをパターン制御し、さらに、上位ネットワークＮＴ１経由で、機器４２ａの制御要求を受信した制御装置２２の制御部２ｅは、中位通信部２ｂから機器４２ａのパターン制御信号を送信し、機器コントローラ３２は、機器４２ａをパターン制御する。
【００２３】
また、制御装置２２がパターン制御を行う際には、制御部２ｅが、制御範囲情報Ｊ２３を参照して、中位通信部２ｂから機器４２ｂのパターン制御信号を送信し、機器コントローラ３２は、機器４２ｂをパターン制御する。
【００２４】
このように、制御装置２１，２２は、当初は制御装置２２の制御範囲に属していた機器４２ａを制御装置２１の制御範囲に変更した場合の制御範囲情報Ｊ１２，Ｊ２３を予め保持しているので、機器４２ａは機器４１ａ，４１ｂと同一の制御範囲となり、制御範囲毎のパターン制御を行うことができる。
【００２５】
次に、機器４１ｂを制御装置２１の制御範囲から制御装置２２の制御範囲に変更する場合について説明する。まず、上位ネットワークＮＴ１に接続された図示しない端末装置から制御範囲設定信号が各制御装置２へ送信され、制御装置２１の制御範囲選択部２ｄが、受け取った制御範囲設定信号に基づいて、制御範囲情報Ｊ１３を選択し、制御装置２２の制御範囲選択部２ｄが、受け取った制御範囲設定信号に基づいて、制御範囲情報Ｊ２２を選択すると、図６（ｂ）に示すように、制御装置２１の制御範囲は、機器４１ａのみを含むエリアＡ１’’となり、制御装置２２の制御範囲は、機器４２ａ，４２ｂ、および機器４１ｂを含むエリアＡ２’’となる。
【００２６】
そして、制御装置２１がパターン制御を行う際には、制御部２ｅが、制御範囲情報Ｊ１３を参照して、中位通信部２ｂから機器４１ａのパターン制御信号を送信し、機器コントローラ３１は、機器４１ａをパターン制御する
また、制御装置２２がパターン制御を行う際には、制御部２ｅが、制御範囲情報Ｊ２２を参照して、中位通信部２ｂから機器４２ａ，４２ｂのパターン制御信号を送信するとともに、上位通信部２ａから機器４１ｂの制御要求を送信する。そして、機器コントローラ３２は、機器４２ａ，４２ｂをパターン制御し、さらに、上位ネットワークＮＴ１経由で、機器４１ｂの制御要求を受信した制御装置２１の制御部２ｅは、中位通信部２ｂから機器４１ｂのパターン制御信号を送信し、機器コントローラ３１は、機器４１ｂをパターン制御する。
【００２７】
このように、制御装置２１，２２は、当初は制御装置２１の制御範囲に属していた機器４１ｂを制御装置２２の制御範囲に変更した場合の制御範囲情報Ｊ１３，Ｊ２２を予め保持しているので、機器４１ｂは機器４２ａ，４２ｂと同一の制御範囲となり、制御範囲毎のパターン制御を行うことができる。
【００２８】
したがって、本実施形態の機器制御システムでは、複数の制御装置２が制御範囲毎に機器４を制御する際に、機器４が属する制御範囲を容易に変更できるのである。
【００２９】
また、エリアＡ１内の機器４１ｂ、エリアＡ２内の機器４２ａは、エリアＡ１とエリアＡ２との境界近傍に配置されており、施工時には、設計時に属していた制御範囲から隣接する制御範囲に変更されやすい。しかし、上記のように、制御装置２１，２２は、機器４１ｂ、機器４２ａが属する制御範囲を隣接する制御範囲に変更した場合の制御範囲情報を予め保持しているので、機器４１ｂ、機器４２ａが属する制御範囲を変更した際には、対応する制御範囲情報を選択することで、制御範囲変更後であっても制御範囲毎のパターン制御を容易に行うことができる。
【図面の簡単な説明】
【００３０】
【図１】実施形態の機器制御システムのブロック構成を示す図である。
【図２】同上のシステム構成を示す図である。
【図３】同上の制御範囲情報記憶部の構造を示す図である。
【図４】（ａ）〜（ｃ）同上の制御装置が保持する制御範囲情報を示す図である。
【図５】（ａ）〜（ｃ）同上の他の制御装置が保持する制御範囲情報を示す図である。
【図６】（ａ）（ｂ）同上の制御範囲変更を示す図である。
【符号の説明】
【００３１】
２  制御装置
２ｃ  制御範囲情報記憶部
２ｄ  制御範囲選択部
２ｅ  制御部
３  機器コントローラ
４  機器
ＮＴ１  上位ネットワーク
ＮＴ２  中位ネットワーク
ＮＴ１  下位ネットワーク
Ａ  エリア
【図１】
2010010786.tif 000003
【図２】
2010010786.tif 000004
【図３】
2010010786.tif 000005
【図４】
2010010786.tif 000006
【図５】
2010010786.tif 000007
【図６】
2010010786.tif 000008